(57)【特許請求の範囲】
【請求項１】
前面側に携帯電話の設置面が設けられた立設状態の本体ケースと、この本体ケースの設置面の下部前面側を覆うごとく配置した保持部とを備え、前記保持部は、この保持部の上面に設けた携帯電話の投入口と、この保持部内で、携帯電話を前記設置面側に付勢する付勢手段とを有し、前記付勢手段は、上部が前記本体ケースの設置面から第１の所定間隔離れた位置に軸支され、下部が前記本体ケースの設置面に近接する方向に傾斜された付勢板と、この付勢板の下部を、前記本体ケースの設置面側に付勢するバネを有し、前記付勢板の下部両側には、それぞれ回転付勢体を設け、各回転付勢体は、円筒状で中心部には回転軸が貫通した構成とし、その外方が内方よりも下方になる傾斜状態とした構成とした車載用携帯電話充電装置。
【請求項２】
前記保持部には、前記付勢板の下部が、前記本体ケースの設置面から第２の所定間隔離れた位置で停止する規制部を設け、前記第２の所定間隔は、前記第１の所定間隔よりも小さい状態とした請求項１に記載の車載用携帯電話充電装置。
【請求項３】
請求項１または２に記載の車載用携帯電話充電装置を、立設状態で設置した自動車。
【請求項４】
車載用携帯電話充電装置の上部が後方、下部が前方となる傾斜状態で設置した請求項３に記載の自動車。
【発明の詳細な説明】
【技術分野】
【０００１】
本発明は、車載用携帯電話充電装置とそれを用いた自動車に関するものである。
【背景技術】
【０００２】
携帯電話は機能が向上するにしたがって、その電力消費量が極めて大きくなり、内蔵する電池では、わずか１日しか使用できないものもある。
【０００３】
そこで、近年、車内に車載用携帯電話充電装置を設けることが提案されている。
【０００４】
例えば、下記特許文献１に記載されたものは、前面側に携帯電話の設置面が設けられた立設状態の本体ケースと、この本体ケースの設置面の下部前面側を覆うごとく配置した保持部とを備え、携帯電話の下部を、保持部内に投入し、その状態でのガタツキを防止するために、設置面の後方から付勢手段によって携帯電話を前方に付勢するようにしている。
【先行技術文献】
【特許文献】
【０００５】
【特許文献１】特許第３８２９０９４号公報
【発明の概要】
【発明が解決しようとする課題】
【０００６】
上記従来例においては、設置面の後方から付勢手段によって携帯電話を前方に付勢するようにしているので、充電時のガタツキは防止できるが、充電後に携帯電話を取り出すときの操作性が悪く、使い勝手の向上が求められている。
【０００７】
つまり、携帯電話を取り出時には、付勢手段による付勢を解除しなければ、携帯電話の取出しが出来ず、極めて使い勝手の悪いものとなるのである。
【０００８】
そこで、本発明は、使い勝手を向上させることを目的とするものである。
【課題を解決するための手段】
【０００９】
そしてこの目的を達成するために本発明は、前面側に携帯電話の設置面が設けられた立設状態の本体ケースと、この本体ケースの設置面の下部前面側を覆うごとく配置した保持部とを備え、前記保持部は、この保持部の上面に設けた携帯電話の投入口と、この保持部内で、携帯電話を前記設置面側に付勢する付勢手段とを有し、前記付勢手段は、上部が前記本体ケースの設置面から第１の所定間隔離れた位置に軸支され、下部が前記本体ケース
の設置面に近接する方向に傾斜された付勢板と、この付勢板の下部を、前記本体ケースの設置面側に付勢するバネを有し、前記付勢板の下部両側には、それぞれ回転付勢体を設け、各回転付勢体は、円筒状で中心部には回転軸が貫通した構成とし、その外方が内方よりも下方になる傾斜状態とした構成とし、これにより所期の目的を達成するものである。
【発明の効果】
【００１０】
以上のように本発明は、前面側に携帯電話の設置面が設けられた立設状態の本体ケースと、この本体ケースの設置面の下部前面側を覆うごとく配置した保持部とを備え、前記保持部は、この保持部の上面に設けた携帯電話の投入口と、この保持部内で、携帯電話を前記設置面側に付勢する付勢手段とを有し、前記付勢手段は、上部が前記本体ケースの設置面から第１の所定間隔離れた位置に軸支され、下部が前記本体ケースの設置面に近接する方向に傾斜された付勢板と、この付勢板の下部を、前記本体ケースの設置面側に付勢するバネを有し、前記付勢板の下部両側には、それぞれ回転付勢体を設け、各回転付勢体は、円筒状で中心部には回転軸が貫通した構成とし、その外方が内方よりも下方になる傾斜状態とした構成としたので、使い勝手の良いものとなる。
【００１１】
すなわち、本発明においては、前記保持部が、この保持部の上面に設けた携帯電話の投入口と、この保持部内で、携帯電話を前記設置面側に付勢する付勢手段とを有し、前記付勢手段は、上部が前記本体ケースの設置面から第１の所定間隔離れた位置に軸支され、下部が前記本体ケースの設置面に近接する方向に傾斜された付勢板と、この付勢板の下部を、前記本体ケースの設置面側に付勢するバネを有するものであるので、携帯電話の取り出し時には、携帯電話の上部を手前上方に引き出すことが出来、しかも携帯電話の下部が、付勢板の下部を通過した時には、この付勢板によって携帯電話の下部が上方に押し出されるので、使用者にクリック感触を与えるものともなり、その結果として極めて使い勝手の良いものとなるのである。
また、本発明においては、前記付勢板の下部両側には、それぞれ回転付勢体を設け、各回転付勢体は、円筒状で中心部には回転軸が貫通した構成とし、その外方が内方よりも下方になる傾斜状態とした構成としたので、携帯電話を付勢板に抗して押し下げていく時には回転付勢体を回転させながら下降させることができるので、この押し下げ動作は、スムーズに行えることとなる。さらに、携帯電話の押し下げ動作時に携帯電話が当接するのは回転付勢体であり、これが回転しながら押し下げられることになるので、携帯電話に傷が付くこともなくなる。さらにまた、本発明においては、前記付勢板の下部両側には、それぞれ回転付勢体を設け、各回転付勢体は、円筒状で中心部には回転軸が貫通した構成とし、その外方が内方よりも下方になる傾斜状態とした構成としたので、携帯電話の押し下げ時に回転付勢体に当接する部分は、押し下げ動作に連動して、この回転付勢体の内方から外方へと移動することになり、その結果として、携帯電話の表示部に傷を付けることも無いものとなる。
【図面の簡単な説明】
【００１２】
【図１】本発明の一実施形態の車載用携帯電話充電装置の斜視図
【図２】同一部切欠斜視図
【図３】同断面図
【図４】同一部切欠斜視図
【図５】同断面図
【図６】同一部切欠斜視図
【図７】同断面図
【図８】同断面図
【図９】同断面図
【図１０】同断面図
【図１１】同一部切欠斜視図
【図１２】同断面図
【図１３】同斜視図
【図１４】同側面図
【図１５】同断面図
【図１６】同断面図
【図１７】同断面図
【図１８】同断面図
【図１９】同断面図
【図２０】同断面図
【図２１】同断面図
【図２２】同断面図
【発明を実施するための形態】
【００１３】
以下、本発明の一実施形態を、添付図面を用いて説明する。
【００１４】
（実施の形態１）
図１〜図３において、１は前面側に携帯電話（図３の２）の設置面３が設けられた縦長長方形状で、立設状態の本体ケースで、この本体ケース１の内部で、前記設置面３の背面側には充電コイル（図示せず）が設けられている。
【００１５】
また、前記本体ケース１の設置面３の下部前面側を覆うごとく保持部４が設けられている。
【００１６】
前記保持部４は、水平断面がコの字状となっており、この保持部４の上面には、携帯電話２の下部を投入するための長方形状の投入口５が形成されている。
【００１７】
つまり、水平断面がコの字状の保持部４は、前面６、側面７、底面８を有し、上面が投入口５となっている。
【００１８】
また、保持部４内には、携帯電話２を前記設置面３側に付勢する付勢手段９が設けられている。
【００１９】
この付勢手段９は、図２、図３に示すごとく、上部が前記本体ケース１の設置面３から第１の所定間隔離れた位置で、側面７内側に軸支され、下部が前記本体ケース１の設置面３に近接する方向に傾斜設置された付勢板１０と、この付勢板１０の下部を、前記本体ケース１の設置面３側に付勢するバネ１１によって構成されている。
【００２０】
前記バネ１１の上端は、付勢板１０上部両側において、付勢板１０の軸支部と同じ部分、またはそれよりも前記本体ケース１の設置面３に連結され、またバネ１１の下端は付勢板１０下部両側に連結されている。
【００２１】
このため、付勢板１０の下部は図３において、反時計方向、つまり前記本体ケース１の設置面３側に付勢された状態となっている。
【００２２】
また、保持部４の側面７には、付勢板１０の下部が図３以上に反時計方向、つまり前記本体ケース１の設置面３側に回動しないように規制部（図示せず）を設けている。
【００２３】
この状態は、図３のごとく、付勢板１０の上部における本体ケース１の設置面３との距離に比べて、付勢板１０の下部における本体ケース１の設置面３との距離が小さくなる状態となっている。
【００２４】
さらに、付勢板１０の下部両側には、図２のごとく、回転付勢体１２を設けている。
【００２５】
この回転付勢体１２は、円筒状のもので、中心部には、回転軸が貫通している。
【００２６】
また、このように両側に設けた回転付勢体１２は、付勢板１０の下部両側おいて、それぞれの外方が、内方よりも下方になるように傾斜状態で設置されている。
【００２７】
以上の構成において、携帯電話２の充電を行う時には、図４、図５のごとく、本体ケース１の保持部４上方の投入口５から、携帯電話２の下方を投入する。
【００２８】
すると、先ずは、図６、図７に示すように、携帯電話２の下方は、投入口５内に進入するが、このときにはまだ携帯電話２の下部は付勢板１０の上面には触れていない。
【００２９】
つまり、保持部４上方の投入口５は、携帯電話２の厚みよりも十分に大きな開口となっており、しかも付勢板１０の上部と本体ケース１の設置面３との距離も携帯電話２の厚みよりも十分に大きくなっているので、携帯電話２の下方を投入口５から投入したときには、付勢板１０の上面には触れることはないのである。
【００３０】
その後、携帯電話２をさらに下げると、図８のごとく、携帯電話２の下部が、付勢板１０の上面に触れることになる。
【００３１】
この状態から、携帯電話２をさらに下げると、図８のごとく、携帯電話２の下部が、付勢板１０の上面に触れ、携帯電話２をさらに下げると、図９、図１０のごとく、携帯電話２の下部が、付勢板１０の下部を、バネ１１の付勢力に抗し、時計方向に回動させる。
【００３２】
なお、このときに、携帯電話２の下部が接する付勢板１０の下部とは、上述した回転付勢体１２であり、これを回転させながら携帯電話２は下降する。
【００３３】
また、携帯電話２の下部に接する回転付勢体１２は、携帯電話２の両側方になるので、携帯電話２の表示部１３に、傷をつけることも無い。
【００３４】
図９、図１０のごとく、携帯電話２の下部が付勢板１０で本体ケース１の設置面３に付勢されると、携帯電話２も立設状態となるので、以降は、この携帯電話２の上部を下方に押し込み、図１１、図１２のごとく、底面８に押し当てる。
【００３５】
この状態は、図１３〜図１５の状態であり、携帯電話２は付勢板１０によって本体ケース１の設置面３に当接した状態となり、この状態で携帯電話２に対する充電が行われる。
【００３６】
すなわち、携帯電話２の充電コイル（図示せず）と、本体ケース１内の充電コイル（図示せず）が対向し、磁束を通過させることで、携帯電話２内の電池（図示せず）の充電を行うようになっているのである。
【００３７】
この充電後、携帯電話２を保持部４から取り出すときには、図１６のごとく、携帯電話２の上部を、手前（本体ケース１の設置面３とは反対側）に傾け、続いて図１７、図１８、図１９のごとく、携帯電話２を引き出していく。
【００３８】
このとき、図１６からも理解されるように、携帯電話２の上部を、手前（本体ケース１の設置面３とは反対側）に傾けるときには、携帯電話２の下部に接する回転付勢体１２部分が支点となるので、この動作を容易に行うことが出来る。
【００３９】
また、引き出すときにも、携帯電話２の下部に接しているのは回転付勢体１２であるので、回転により、携帯電話２をスムーズに引き出すことが出来る。
【００４０】
続いて、図２０の状態になると、携帯電話２下部は、付勢板１０の上面に乗り上げた状態となり、付勢板１０がバネ１１で反時計方向に付勢される動作で、押し上げられる状態にもなり、その結果として図２１、図２２のごとく、スムーズな取出しが行えるようになる。また、図１９から図２０に至った状態では、携帯電話２下部が、付勢板１０の上面で押し上げられる状態になることから、使用者にクリック感触を与えるものともなる。
なお、上記実施形態では、車載用携帯電話充電装置の本体ケース１を、立設状態で自動車に設置する例を説明したが、車載用携帯電話充電装置の本体ケース１上部が後方、下部が前方となる傾斜状態で自動車に設置するようにしても良い。
【産業上の利用可能性】
【００４１】
以上のように本発明においては、携帯電話の下部全面側を覆うごとく配置した保持部は、この保持部の上面に設けた携帯電話の投入口と、この保持部内で、携帯電話を前記設置面側に付勢する付勢手段とを有し、前記付勢手段は、上部が前記本体ケースの設置面から第１の所定間隔離れた位置に軸支され、下部が前記本体ケースの設置面に近接する方向に傾斜された付勢板と、この付勢板の下部を、前記本体ケースの設置面側に付勢するバネを有するものであるので、携帯電話の取り出し時には、携帯電話の上部を手前上方に引き出すことが出来、しかも携帯電話の下部が、付勢板の下部を通過した時には、この付勢板によって携帯電話の下部が上方に押し出されるので、使用者にクリック感触を与えるものともなり、その結果として極めて使い勝手の良いものとなるのである。
また、本発明においては、前記付勢板の下部両側には、それぞれ回転付勢体を設け、各回転付勢体は、円筒状で中心部には回転軸が貫通した構成とし、その外方が内方よりも下方になる傾斜状態とした構成としたので、携帯電話を付勢板に抗して押し下げていく時には回転付勢体を回転させながら下降させることができるので、この押し下げ動作は、スムーズに行えることとなる。さらに、携帯電話の押し下げ動作時に携帯電話が当接するのは回転付勢体であり、これが回転しながら押し下げられることになるので、携帯電話に傷が付くこともなくなる。さらにまた、本発明においては、前記付勢板の下部両側には、それぞれ回転付勢体を設け、各回転付勢体は、円筒状で中心部には回転軸が貫通した構成とし、その外方が内方よりも下方になる傾斜状態とした構成としたので、携帯電話の押し下げ時に回転付勢体に当接する部分は、押し下げ動作に連動して、この回転付勢体の内方から外方へと移動することになり、その結果として、携帯電話の表示部に傷を付けることも無いものとなる。
【００４２】
したがって、車載用携帯電話充電装置としての活用が期待されるものとなる。
【符号の説明】
【００４３】
１  本体ケース
２  携帯電話
３  設置面
４  保持部
５  投入口
６  前面
７  側面
８  底面
９  付勢手段
１０  付勢板
１１  バネ
１２  回転付勢体
１３  表示部
【要約】
【課題】本発明は、車載用携帯電話充電装置に関するもので、使い勝手を向上させることを目的とするものである。
【解決手段】保持部４内に設けた付勢板１０は、上部が本体ケース１の設置面３から第１の所定間隔離れた位置に軸支され、下部が本体ケース１の設置面３に近接する方向に傾斜されている。この付勢板１０の下部は、本体ケース１の設置面３側にバネ１１により付勢されているので、携帯電話２の取り出し時には、携帯電話２の上部を手前上方に引き出すことが出来、しかも携帯電話２の下部が、付勢板１０の下部を通過した時には、この付勢板１０によって携帯電話２の下部が上方に押し出されるので、使用者にクリック感触を与えるものともなり、その結果として極めて使い勝手の良いものとなるのである。
【選択図】図２【図１】
0005299537.tif 000002
【図２】
0005299537.tif 000003
【図３】
0005299537.tif 000004
【図４】
0005299537.tif 000005
【図５】
0005299537.tif 000006
【図６】
0005299537.tif 000007
【図７】
0005299537.tif 000008
【図８】
0005299537.tif 000009
【図９】
0005299537.tif 000010
【図１０】
0005299537.tif 000011
【図１１】
0005299537.tif 000012
【図１２】
0005299537.tif 000013
【図１３】
0005299537.tif 000014
【図１４】
0005299537.tif 000015
【図１５】
0005299537.tif 000016
【図１６】
0005299537.tif 000017
【図１７】
0005299537.tif 000018
【図１８】
0005299537.tif 000019
【図１９】
0005299537.tif 000020
【図２０】
0005299537.tif 000021
【図２１】
0005299537.tif 000022
【図２２】
0005299537.tif 000023